(57)【要約】      （修正有）【課題】消費者の経済的な負担、保存管理のための負担を小さくし、且つ消費者に多種類のデザインの鞄の中から、消費者が十分満足する鞄を選択することが可能である、鞄本体とストラップ、及びフラップとから構成された、組み立て可能な鞄を提供する。【解決手段】鞄本体１とストラップ２、及びフラップ３とから構成された鞄において、鞄本体外側の側面上部には、一対のバックルＢ１、Ｂ２を取り付ける。鞄本体外側の裏面上部には、第１の雌面ファスナーを、ストラップの両先端部には、一対の金具が取り付ける。さらに、フラップ裏面根元部には、第１の雄面ファスナーが取り付けて、組み立て可能な鞄を構成する。【選択図】図１
0003146636.tif 000002
【実用新案登録請求の範囲】
【請求項１】
鞄本体とストラップ、及びフラップとから構成された鞄において、鞄本体外側の側面上部には、一対のバックルが取り付けてなり、鞄本体外側の裏面上部には、第１の雌面ファスナーが、ストラップの両先端部には、一対の金具が取り付けてなり、フラップ裏面根元部には、第１の雄面ファスナーが取り付けてなることを特徴とする組み立て可能な鞄。
【請求項２】
当該一対のバックルと当該一対の金具をワンタッチで着脱することにより、鞄本体とストラップを組み立て／又は分解可能に構成された請求項１に記載の組み立て可能な鞄。
【請求項３】
当該第１の雌面ファスナーと当該第１の雄面ファスナーをワンタッチで着脱することにより、鞄本体とフラップを組み立て／又は分解可能に構成された請求項１〜２の何れかに記載の組み立て可能な鞄。
【請求項４】
鞄本体外側の表面には、第２の雌面ファスナーが、フラップ裏面先端部には、第２の雄面ファスナーが取り付けてなることを特徴とする組み立て可能な鞄。
【請求項５】
鞄本体外側の表面の側端部には、一対の第２の雌面ファスナーが、フラップ裏面先端部には、フラップ裏面先端部に沿って、第２の雄面ファスナーが取り付けてなることを特徴とする組み立て可能な鞄。
【請求項６】
当該第２の雌面ファスナーと当該第２の雄面ファスナーとをワンタッチで着脱することにより、鞄本体とフラップが確実に一体となり、鞄本体の収容物が脱落するのを防止することを特徴とする請求項１〜５の何れかに記載の組み立て可能な鞄。
【請求項７】
第１の雄面ファスナーが取り付けてなるフラップ裏面根元部に、貫通穴が設けられ、第１の雌面ファスナー取り付けてなる鞄本体外側の裏面上部に、貫通穴が設けられ、鞄を組み立てた時には、上記２つの貫通穴が貫通してフラップ脱落防止紐を通して結び合わせることができることを特徴とする請求項１〜６の何れかに記載の組み立て可能な鞄。
【請求項８】
フラップ表面には、デザインされた模様／及び又は文字等が描かれたことを特徴とする請求項１〜７の何れかに記載の組み立て可能な鞄。
【考案の詳細な説明】
【技術分野】
【０００１】
本考案は、組み立て可能な鞄に関する。本考案は、より具体的には、鞄本体とストラップ、及びフラップとから構成された、組み立て可能な鞄に関する。
【背景技術】
【０００２】
従来、鞄は、販売の際には、完成品として販売され、鞄の部品が独立して販売されることはなかった。
【０００３】
すなわち、鞄本体とストラップ、及びフラップとから構成された、組み立て可能な鞄の考案は、従来技術として存在しなかった。
【０００４】
考案者は、かかる状況を考察すると、鞄のデザインは鞄全体に施され、消費者のニーズに応えようとすると、色や形等のデザインの異なる多種類の完成品を取り揃える必要が有り、少量多品種に繋がりコスト高になっていた。鞄の消費者は、使用するタイミング、使用する場所、使用する目的等にマッチした状態で対応できるように予め多品種の鞄（完成品）を購入した上で一定の保存場所に保管して置く必要があり、消費者に対して、購入の際の経済的負担、購入後の保存管理負担が大きく、消費者は完成品としての鞄に満足しているとは云えない状況であった。
【０００５】
種々研究した結果、鞄を鞄本体とストラップ、及びフラップに分割して夫々を取り代え可能とすることにより、鞄本体とストラップ、及びフラップの組み換えにより、デザインのバラエティが豊富な組み立て可能な鞄を提供することが可能となるという着想に至り、本考案を完成することができた。
【考案の開示】
【考案が解決しようとする課題】
【０００６】
本考案が解決しようとする課題は、上記実情に鑑み、消費者の経済的な負担、保存管理のための負担を小さくし、且つ消費者に多種類のデザインの鞄の中から、消費者が十分満足する鞄を選択することが可能である、鞄本体とストラップ、及びフラップとから構成された、組み立て可能な鞄を提供することを目的とする。
【課題を解決するための手段】
【０００７】
考案者は、背景技術と近未来の多品種少量生産の鞄の需要が益々強まることを鑑みて、鋭意検討し本考案を完成させた。
【０００８】
以下、本願実用新案登録請求の範囲、本願明細書において用いる用語の解釈上の疑義を解消するべく、以下用語の定義又は説明をすることとする。  ＜用語の説明＞
○鞄とは、書類その他の物を入れる携帯用具をいい、本考案に係る鞄は、鞄本体とストラップ、及びフラップの３部品から構成される鞄をいう。
【０００９】
○鞄本体とは、書類その他の物を入れる収納部分をいう。
【００１０】
○ストラップとは、鞄の吊紐をいう。
【００１１】
○フラップとは、鞄の垂れ蓋をいう。
【００１２】
○金具とは、鞄本体のストラップを鞄本体と着脱する際に、バックル開口部に挿入して固定・離脱する金属製の小さな部品をいう。
【００１３】
○バックルとは、鞄本体のストラップを鞄本体と着脱する際に、ストラップ先端の金具を固定・離脱する装置のことをいう。使用者が片手で取り外しできるように設計されている。バックル開口部を広くすることによって、ストラップ先端の金具とバックル開口部の装着の利便性が大幅に向上する。
【００１４】
○面ファスナーとは、鉤状の突起が一面についた布（雄面ファスナー）と、パイル状の面（雌面ファスナー）で一組みとなった留め具をいう。
【００１５】
本考案の具体的構成は、以下の通りである。
【００１６】
ここに、
請求項１に記載の考案は、第１考案とも云い、
請求項２に記載の考案は、第２考案とも云い、
請求項３に記載の考案は、第３考案とも云い、
請求項４に記載の考案は、第４考案とも云い、
請求項５に記載の考案は、第５考案とも云い、
請求項６に記載の考案は、第６考案とも云う。
【００１７】
請求項７に記載の考案は、第７考案とも云い、
請求項８に記載の考案は、第８考案とも云う。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
○請求項１に記載の考案（第１考案）
第１考案は、鞄本体とストラップ、及びフラップとから構成された鞄において、鞄本体外側の側面上部には、一対のバックルが取り付けてなり、鞄本体外側の裏面上部には、第１の雌面ファスナーが、ストラップの両先端部には、一対の金具が取り付けてなり、フラップ裏面根元部には、第１の雄面ファスナーが取り付けてなることを特徴とする組み立て可能な鞄である。
○請求項２に記載の考案（第２考案）
第２考案は、当該一対のバックルと当該一対の金具をワンタッチで着脱することにより、鞄本体とストラップを組み立て／又は分解可能に構成された請求項１に記載の組み立て可能な鞄である。
○請求項３に記載の考案（第３考案）
第３考案は、当該第１の雌面ファスナーと当該第１の雄面ファスナーをワンタッチで着脱することにより、鞄本体とフラップを組み立て／又は分解可能に構成された請求項１〜２の何れかに記載の組み立て可能な鞄である。
○請求項４に記載の考案（第４考案）
第４考案は、鞄本体外側の表面には、第２の雌面ファスナーが、フラップ裏面先端部には、第２の雄面ファスナーが取り付けてなることを特徴とする組み立て可能な鞄である。
○請求項５に記載の考案（第５考案）
第５考案は、鞄本体外側の表面の側端部には、一対の第２の雌面ファスナーが、フラップ裏面先端部には、フラップ裏面先端部に沿って、第２の雄面ファスナーが取り付けてなることを特徴とする組み立て可能な鞄である。
○請求項６に記載の考案（第６考案）
第６考案は、当該第２の雌面ファスナーと当該第２の雄面ファスナーとをワンタッチで着脱することにより、鞄本体とフラップが確実に一体となり、鞄本体の収容物が脱落するのを防止することを特徴とする請求項１〜５の何れかに記載の組み立て可能な鞄である。
○請求項７に記載の考案（第７考案）
第７考案は、第１の雄面ファスナーが取り付けてなるフラップ裏面根元部に、貫通穴が設けられ、第１の雌面ファスナー取り付けてなる鞄本体外側の裏面上部に、貫通穴が設けられ、鞄を組み立てた時には、上記２つの貫通穴が貫通してフラップ脱落防止紐を通して結び合わせることができることを特徴とする請求項１〜６の何れかに記載の組み立て可能な鞄。
○請求項８に記載の考案（第８考案）
第８考案は、フラップ表面には、デザインされた模様／及び又は文字等が描かれたことを特徴とする請求項１〜７の何れかに記載の組み立て可能な鞄。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
【考案の効果】
【００１８】
上記のような本考案の特徴的構成により、本考案が解決しようとする課題を十分達成することができた。
○請求項１に記載の考案（第１考案）の効果
第１考案の特徴的構成要件を「鞄本体とストラップ、及びフラップとから構成された鞄において、鞄本体外側の側面上部には、一対のバックルが取り付けてなり、鞄本体外側の裏面上部には、第１の雌面ファスナーが、ストラップの両先端部には、一対の金具が取り付けてなり、フラップ裏面根元部には、第１の雄面ファスナーが取り付けてなることを特徴とする組み立て可能な鞄」とすることより、消費者の経済的な負担、保存管理のための負担を小さくし、且つ消費者に多種類のデザインの鞄の中から、消費者が十分満足する鞄を選択することが可能となる「鞄本体とストラップ、及びフラップとから構成された、組み立て可能な鞄」を提供することができた。
○請求項２に記載の考案（第２考案）の効果
第２考案の特徴的構成要件を「当該一対のバックルと当該一対の金具をワンタッチで着脱することにより、鞄本体とストラップを組み立て／又は分解可能に構成された請求項１に記載の組み立て可能な鞄」とすることにより、本考案の鞄の組合せ要素である鞄本体とストラップを組み立て／又は分解可能にする具体的手段を開示することができた。
○請求項３に記載の考案（第３考案）の効果
第３考案の特徴的構成要件を「当該第１の雌面ファスナーと当該第１の雄面ファスナーをワンタッチで着脱することにより、鞄本体とフラップを組み立て／又は分解可能に構成された請求項１〜２の何れかに記載の組み立て可能な鞄」とすることにより、本考案の鞄の組合せ要素である鞄本体とフラップを組み立て／又は分解可能にする具体的手段を開示することができた。
○請求項４に記載の考案（第４考案）の効果
第４考案の特徴的構成要件を「鞄本体外側の表面には、第２の雌面ファスナーが、フラップ裏面先端部には、第２の雄面ファスナーが取り付けてなることを特徴とする組み立て可能な鞄」とすることにより、本考案の鞄の組合せ要素である鞄本体とフラップ裏面先端部が確実に面ファスナーで取り付けられて、鞄本体に収納された収納物が、鞄本体から落脱することを防止するという当業者が予測不可能な顕著な効果を奏することができた。
○請求項５に記載の考案（第５考案）の効果
第５考案の特徴的構成要件を「鞄本体外側の表面の側端部には、一対の第２の雌面ファスナーが、フラップ裏面先端部には、フラップ裏面先端部に沿って、第２の雄面ファスナーが取り付けてなることを特徴とする組み立て可能な鞄」とすることによって、本考案の鞄の組合せ要素である鞄本体とフラップ裏面先端部が確実に面ファスナーで取り付けられて、鞄本体に収納された収納物が、鞄本体から落脱することを防止するための具体的手段を開示できたという当業者が予測不可能な顕著な効果を奏することができた。
○請求項６に記載の考案（第６考案）の効果
第６考案の特徴的構成要件を「当該第２の雌面ファスナーと当該第２の雄面ファスナーとをワンタッチで着脱することにより、鞄本体とフラップが確実に一体となり、鞄本体の収容物が脱落するのを防止することを特徴とする請求項１〜５の何れかに記載の組み立て可能な鞄」とすることにより、鞄本体の収容物が脱落するのを防止するための具体的作用を明確にすることができた。
○請求項７に記載の考案（第７考案）の効果
第７考案の特徴的構成要件を「第１の雄面ファスナーが取り付けてなるフラップ裏面根元部に、貫通穴が設けられ、第１の雌面ファスナー取り付けてなる鞄本体外側の裏面上部に、貫通穴が設けられ、鞄を組み立てた時には、上記２つの貫通穴が貫通してフラップ脱落防止紐を通して結び合わせることができることを特徴とする請求項１〜６の何れかに記載の組み立て可能な鞄」とすることにより、鞄本体とフラップとを２つの貫通穴に脱落防止紐を通して結び合わせることにより、面ファスナーによる取り付けが劣化して万が一外れた場合でも、フラップは脱落防止紐により鞄本体から脱落することがないという当業者が予測不可能な顕著な効果を奏することができた。
○請求項８に記載の考案（第８考案）の効果
第８考案の特徴的構成要件を「フラップ表面には、デザインされた模様／及び又は文字等が描かれたことを特徴とする請求項１〜７の何れかに記載の組み立て可能な鞄」とすることにより、消費者は、デザインされた模様／及び又は文字等が描かれた多種類のフラップの中から、好きなフラップを選んで購入することが可能となるという当業者が予測不可能な顕著な効果を奏することができた。
【００１９】
また、フラップ自体は、大量生産することができるので、鞄の顔とも云えるデザインされた模様／及び又は文字等を後で描くことにするので、多種類のフラップを低コストで供給することができるという当業者が予測不可能な顕著な効果を奏することができた。
【考案を実施するための最良の形態】
【００２０】
以下、本考案を実施するための最良の形態について、図面を参照しながら説明する。
【００２１】
[図１]  図１は、本考案の組み立てられた鞄の図を示す。
【００２２】
図１（ａ）は、本考案の組み立てられた鞄の正面図である。
【００２３】
図１（ｂ）は、本考案の組み立てられた鞄の背面図である。
【００２４】
図１（ｃ）は、本考案の組み立てられた鞄の右側面図である。
【００２５】
[図２]  図２は、鞄本体の図を示す。
【００２６】
図２（ａ）は、鞄本体表面の正面図である。
【００２７】
図２（ｂ）は、鞄本体表面の背面図である。
【００２８】
[図３]  図３は、ストラップの正面図を示す。
【００２９】
[図４]  図４は、フラップ表面の図を示す。
【００３０】
図１（ａ）は、フラップ表面の正面図である。
【００３１】
図１（ｂ）は、フラップ表面の背面図である。
本考案の要素である鞄本体とストラップ、及びフラップへの分解図である。
【００３２】
[図５]  図５は、本考案の組立工程図を示す。
【００３３】
図５（ａ）は、フラップ裏面と鞄本体裏面を用意した状態を示す。
【００３４】
図５（ｂ）は、フラップ裏面と鞄本体裏面を組み立てた状態を示す。
【００３５】
図５（ｃ）は、図５（ｂ）において、組み立てたフラップ裏面と鞄本体裏面を裏返した状態を示す。
【００３６】
図５（ｄ）は、図５（ｂ）において、組み立てたフラップ裏面と鞄本体裏面にストラップを取り付けて、完成した状態を示す。
【００３７】
[図６]  図６は、本考案に係る意匠の組立てた状態の正面斜視図である。
【００３８】
[図７]  図７は、本考案に係る意匠の組立てた状態の背面斜視図である。
【００３９】
[図８]  図８は、本考案に係る意匠の分離した状態の正面斜視図である。
【００４０】
[図９]  図９は、本考案に係る意匠の分離した状態の背面斜視図である。
【００４１】
[図１０]  図１０は、本考案に係る意匠の正面図である。
【００４２】
[図１１]  図１１は、本考案に係る意匠の背面図である。
【００４３】
[図１２]  図１２は、本考案に係る意匠の右側面図である。
【００４４】
[図１３]  図１３は、本考案に係る意匠の左側面図である。
【００４５】
[図１４]  図１４は、本考案に係る意匠の平面図である。
【００４６】
[図１５]  図１５は、本考案に係る意匠の底面図である。
【００４７】
ここに、意匠の考案者は、下記の通りである。
[意匠創作者]
[住所又は居所]    大阪市西区西本町２丁目１番４１号  インテリンクス西本町１０１  リファイン  有限会社内
[氏名]            吉岡  誠典
＊＊＊＊＊＊＊＊＊＊＊＊＊＊＊＊＊＊＊＊＊＊＊＊＊＊＊＊＊＊＊＊＊＊
本考案の組み立て可能な鞄１００は、鞄本体１とストラップ２、及びフラップ３とから構成される。
【００４８】
鞄本体１外側の側面上部には、一対のバックルＢ１，Ｂ２が取り付けてなり、鞄本体１外側の裏面上部には、第１の雌面ファスナー１ＦＦが、取り付けられている。
【００４９】
ストラップ３の両端部には、一対の金具Ｍ１，Ｍ２が取り付けている。
【００５０】
フラップ３裏面根元部には、第１の雄面ファスナー１ＭＦが取り付けられている。
【００５１】
＊＊＊＊＊＊＊＊＊＊＊＊＊＊＊＊＊＊＊＊＊＊＊＊＊＊＊＊＊＊＊＊＊＊
当該一対のバックルＢ１，Ｂ２と当該一対の金具Ｍ１，Ｍ２をワンタッチで着脱することにより、鞄本体１とストラップ２を組み立て／又は分解可能に構成されることにより、組み立て可能な鞄１００を提供することができる。
【００５２】
＊＊＊＊＊＊＊＊＊＊＊＊＊＊＊＊＊＊＊＊＊＊＊＊＊＊＊＊＊＊＊＊＊＊
当該第１の雌面ファスナー１ＦＦと当該第１の雄面ファスナー１ＭＦをワンタッチで着脱することにより、鞄本体１とフラップ３を組み立て／又は分解可能に構成されることにより、組み立て可能な鞄１００を提供することができる。
【００５３】
＊＊＊＊＊＊＊＊＊＊＊＊＊＊＊＊＊＊＊＊＊＊＊＊＊＊＊＊＊＊＊＊＊＊
鞄本体１外側の表面には、第２の雌面ファスナー２ＦＦが、フラップ３裏面先端部には、第２の雄面ファスナー２ＭＦが取り付けられている。
【００５４】
＊＊＊＊＊＊＊＊＊＊＊＊＊＊＊＊＊＊＊＊＊＊＊＊＊＊＊＊＊＊＊＊＊＊
鞄本体１外側の表面の側端部には、一対の第２の雌面ファスナー２ＦＦ１，２ＦＦ２が、フラップ３裏面先端部には、フラップ３裏面先端部に沿って、第２の雄面ファスナー２ＭＦが取り付けられている。
【００５５】
＊＊＊＊＊＊＊＊＊＊＊＊＊＊＊＊＊＊＊＊＊＊＊＊＊＊＊＊＊＊＊＊＊＊
当該第２の雌面ファスナー２ＦＦ１，２ＦＦ２と当該第２の雄面ファスナー２ＭＦとをワンタッチで着脱することにより、鞄本体とフラップが確実に一体となり、鞄本体の収容物が脱落するのを防止することが可能となる。
【００５６】
＊＊＊＊＊＊＊＊＊＊＊＊＊＊＊＊＊＊＊＊＊＊＊＊＊＊＊＊＊＊＊＊＊＊
第１の雄面ファスナー１ＭＦが取り付けてなるフラップ３裏面根元部に、貫通穴Ｈが設けられ、第１の雌面ファスナー１ＦＦ取り付けてなる鞄本体１外側の裏面上部に、貫通穴Ｈが設けられ、鞄を組み立てた時には、上記２つの貫通穴が貫通してフラップ脱落防止紐Ｗを通して結び合わせることができる。
＊＊＊＊＊＊＊＊＊＊＊＊＊＊＊＊＊＊＊＊＊＊＊＊＊＊＊＊＊＊＊＊＊＊
フラップ３表面には、デザインされた模様／及び又は文字等ＤＣが描かれている。
【００５７】
鞄本体１とフラップ３とを２つの貫通穴Ｈ、Ｈに脱落防止紐Ｗを通して結び合わせることにより、面ファスナーによる取り付けが劣化して万が一外れた場合でも、フラップ３は脱落防止紐Ｗにより鞄本体１から脱落することがない。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
【図面の簡単な説明】
【００５８】
【図１】図１は、本考案の組み立てられた鞄の図を示す。
【００５９】
図１（ａ）は、本考案の組み立てられた鞄の正面図である。
【００６０】
図１（ｂ）は、本考案の組み立てられた鞄の背面図である。
【００６１】
図１（ｃ）は、本考案の組み立てられた鞄の右側面図である。
【図２】図２は、鞄本体の図を示す。
【００６２】
図２（ａ）は、鞄本体表面の正面図である。
【００６３】
図２（ｂ）は、鞄本体表面の背面図である。
【図３】図３は、ストラップの正面図を示す。
【図４】図４は、フラップ表面の図を示す。
【００６４】
図１（ａ）は、フラップ表面の正面図である。
【００６５】
図１（ｂ）は、フラップ表面の背面図である。
本考案の要素である鞄本体とストラップ、及びフラップへの分解図である。
【図５】図５は、本考案の組立工程図を示す。
【００６６】
図５（ａ）は、フラップ裏面と鞄本体裏面を用意した状態を示す。
【００６７】
図５（ｂ）は、フラップ裏面と鞄本体裏面を組み立てた状態を示す。
【００６８】
図５（ｃ）は、図５（ｂ）において、組み立てたフラップ裏面と鞄本体裏面を裏返した状態を示す。
【００６９】
図５（ｄ）は、図５（ｂ）において、組み立てたフラップ裏面と鞄本体裏面にストラップを取り付けて、完成した状態を示す。
【図６】図６は、本考案に係る意匠の組立てた状態の正面斜視図である。
【図７】図７は、本考案に係る意匠の組立てた状態の背面斜視図である。
【図８】図８は、本考案に係る意匠の分離した状態の正面斜視図である。
【図９】図９は、本考案に係る意匠の分離した状態の背面斜視図である。
【図１０】図１０は、本考案に係る意匠の正面図である。
【図１１】図１１は、本考案に係る意匠の背面図である。
【図１２】図１２は、本考案に係る意匠の右側面図である。
【図１３】図１３は、本考案に係る意匠の左側面図である。
【図１４】図１４は、本考案に係る意匠の平面図である。
【図１５】図１５は、本考案に係る意匠の底面図である。
【符号の説明】
【００７０】
１００                        本考案の組み立て可能な鞄
１                            鞄本体
２                            ストラップ
３                            フラップ
Ｂ１，Ｂ２                    バックル
Ｍ１，Ｍ２                    金具
１ＦＦ                        第１の雌面ファスナー
１ＭＦ                        第１の雄面ファスナー
２ＭＦ                        第２の雄面ファスナー
２ＦＦ，２ＦＦ１，２ＦＦ２    第２の雌面ファスナー
【図１】
0003146636.tif 000003
【図２】
0003146636.tif 000004
【図３】
0003146636.tif 000005
【図４】
0003146636.tif 000006
【図５】
0003146636.tif 000007
【図６】
0003146636.tif 000008
【図７】
0003146636.tif 000009
【図８】
0003146636.tif 000010
【図９】
0003146636.tif 000011
【図１０】
0003146636.tif 000012
【図１１】
0003146636.tif 000013
【図１２】
0003146636.tif 000014
【図１３】
0003146636.tif 000015
【図１４】
0003146636.tif 000016
【図１５】
0003146636.tif 000017
【手続補正書】
【提出日】平成20年6月9日(2008.6.9)
【手続補正１】
【補正対象書類名】実用新案登録請求の範囲
【補正対象項目名】全文
【補正方法】変更
【補正の内容】
【実用新案登録請求の範囲】
【請求項１】
鞄本体とストラップ、及びフラップとから構成された鞄において、鞄本体外側の側面上部には、一対のバックルが取り付けられてなり、鞄本体外側の裏面上部には、第１の雌面ファスナーが、ストラップの両先端部には、一対の金具が取り付けられてなり、フラップ裏面根元部には、第１の雄面ファスナーが取り付けられてなることを特徴とする組み立て可能な鞄。
【請求項２】
当該一対のバックルと当該一対の金具をワンタッチで着脱することにより、鞄本体とストラップを組み立て／又は分解可能に構成された請求項１に記載の組み立て可能な鞄。
【請求項３】
当該第１の雌面ファスナーと当該第１の雄面ファスナーをワンタッチで着脱することにより、鞄本体とフラップを組み立て／又は分解可能に構成された請求項１〜２の何れかに記載の組み立て可能な鞄。
【請求項４】
鞄本体外側の表面には、第２の雌面ファスナーが、フラップ裏面先端部には、第２の雄面ファスナーが取り付けられてなることを特徴とする請求項１〜３の何れかに記載の組み立て可能な鞄。
【請求項５】
鞄本体外側の表面の側端部には、一対の第２の雌面ファスナーが、フラップ裏面先端部には、フラップ裏面先端部に沿って、第２の雄面ファスナーが取り付けられてなることを特徴とする請求項１〜４の何れかに記載の組み立て可能な鞄。
【請求項６】
当該第２の雌面ファスナーと当該第２の雄面ファスナーとをワンタッチで着脱することにより、鞄本体とフラップが確実に一体となり、鞄本体の収容物が脱落するのを防止することを特徴とする請求項４〜５の何れかに記載の組み立て可能な鞄。
【請求項７】
第１の雄面ファスナーが取り付けられてなるフラップ裏面根元部に、貫通穴が設けられ、第１の雌面ファスナーが取り付けられてなる鞄本体外側の裏面上部に、貫通穴が設けられ、鞄を組み立てた時には、上記２つの貫通穴が貫通してフラップ脱落防止紐を通して結び合わせることができることを特徴とする請求項１〜６の何れかに記載の組み立て可能な鞄。
【請求項８】
フラップ表面には、デザインされた模様／及び又は文字等が描かれたことを特徴とする請求項１〜７の何れかに記載の組み立て可能な鞄。
【手続補正２】
【補正対象書類名】明細書
【補正対象項目名】全文
【補正方法】変更
【補正の内容】
【考案の詳細な説明】
【技術分野】
【０００１】
本考案は、組み立て可能な鞄に関する。本考案は、より具体的には、鞄本体とストラップ、及びフラップとから構成された、組み立て可能な鞄に関する。
【背景技術】
【０００２】
従来、鞄は、販売の際には、完成品として販売され、鞄の部品が独立して販売されることはなかった。
【０００３】
すなわち、鞄本体とストラップ、及びフラップとから構成された、組み立て可能な鞄の考案は、従来技術として存在しなかった。
【０００４】
考案者は、かかる状況を考察すると、鞄のデザインは鞄全体に施され、消費者のニーズに応えようとすると、色や形等のデザインの異なる多種類の完成品を取り揃える必要が有り、少量多品種に繋がりコスト高になっていた。鞄の消費者は、使用するタイミング、使用する場所、使用する目的等にマッチした状態で対応できるように予め多品種の鞄（完成品）を購入した上で一定の保存場所に保管して置く必要があり、消費者に対して、購入の際の経済的負担、購入後の保存管理負担が大きく、消費者は完成品としての鞄に満足しているとは云えない状況であった。
【０００５】
種々研究した結果、鞄を鞄本体とストラップ、及びフラップに分割して夫々を取り代え可能とすることにより、鞄本体とストラップ、及びフラップの組み換えにより、デザインのバラエティが豊富な組み立て可能な鞄を提供することが可能となるという着想に至り、本考案を完成することができた。
【考案の開示】
【考案が解決しようとする課題】
【０００６】
本考案が解決しようとする課題は、上記実情に鑑み、消費者の経済的な負担、保存管理のための負担を小さくし、且つ消費者に多種類のデザインの鞄の中から、消費者が十分満足する鞄を選択することが可能である、鞄本体とストラップ、及びフラップとから構成された、組み立て可能な鞄を提供することを目的とする。
【課題を解決するための手段】
【０００７】
考案者は、背景技術と近未来の多品種少量生産の鞄の需要が益々強まることを鑑みて、鋭意検討し本考案を完成させた。
【０００８】
以下、本願実用新案登録請求の範囲、本願明細書において用いる用語の解釈上の疑義を解消するべく、以下用語の定義又は説明をすることとする。
＜用語の説明＞
○鞄とは、書類その他の物を入れる携帯用具をいい、本考案に係る鞄は、鞄本体とストラップ、及びフラップの３部品から構成される鞄をいう。
【０００９】
○鞄本体とは、書類その他の物を入れる収納部分をいう。
【００１０】
○ストラップとは、鞄の吊紐をいう。
【００１１】
○フラップとは、鞄の垂れ蓋をいう。
【００１２】
○金具とは、鞄本体のストラップを鞄本体と着脱する際に、バックル開口部に挿入して固定・離脱する金属製の小さな部品をいう。
【００１３】
○バックルとは、鞄本体のストラップを鞄本体と着脱する際に、ストラップ先端の金具を固定・離脱する装置のことをいう。使用者が片手で取り外しできるように設計されている。バックル開口部を広くすることによって、ストラップ先端の金具とバックル開口部の装着の利便性が大幅に向上する。
【００１４】
○面ファスナーとは、鉤状の突起が一面についた布（雄面ファスナー）と、パイル状の面（雌面ファスナー）で一組みとなった留め具をいう。
【００１５】
本考案の具体的構成は、以下の通りである。
【００１６】
ここに、
請求項１に記載の考案は、第１考案とも云い、
請求項２に記載の考案は、第２考案とも云い、
請求項３に記載の考案は、第３考案とも云い、
請求項４に記載の考案は、第４考案とも云い、
請求項５に記載の考案は、第５考案とも云い、
請求項６に記載の考案は、第６考案とも云う。
【００１７】
請求項７に記載の考案は、第７考案とも云い、
請求項８に記載の考案は、第８考案とも云う。
＊＊＊＊＊＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊
○請求項１に記載の考案（第１考案）
第１考案は、鞄本体とストラップ、及びフラップとから構成された鞄において、鞄本体外側の側面上部には、一対のバックルが取り付けられてなり、鞄本体外側の裏面上部には、第１の雌面ファスナーが、ストラップの両先端部には、一対の金具が取り付けられてなり、フラップ裏面根元部には、第１の雄面ファスナーが取り付けられてなることを特徴とする組み立て可能な鞄である。
○請求項２に記載の考案（第２考案）
第２考案は、当該一対のバックルと当該一対の金具をワンタッチで着脱することにより、鞄本体とストラップを組み立て／又は分解可能に構成された請求項１に記載の組み立て可能な鞄である。
○請求項３に記載の考案（第３考案）
第３考案は、当該第１の雌面ファスナーと当該第１の雄面ファスナーをワンタッチで着脱することにより、鞄本体とフラップを組み立て／又は分解可能に構成された請求項１〜２の何れかに記載の組み立て可能な鞄である。
○請求項４に記載の考案（第４考案）
第４考案は、鞄本体外側の表面には、第２の雌面ファスナーが、フラップ裏面先端部には、第２の雄面ファスナーが取り付けられてなることを特徴とする請求項１〜３の何れかに記載の組み立て可能な鞄である。
○請求項５に記載の考案（第５考案）
第５考案は、鞄本体外側の表面の側端部には、一対の第２の雌面ファスナーが、フラップ裏面先端部には、フラップ裏面先端部に沿って、第２の雄面ファスナーが取り付けられてなることを特徴とする請求項１〜４の何れかに記載の組み立て可能な鞄である。
○請求項６に記載の考案（第６考案）
第６考案は、当該第２の雌面ファスナーと当該第２の雄面ファスナーとをワンタッチで着脱することにより、鞄本体とフラップが確実に一体となり、鞄本体の収容物が脱落するのを防止することを特徴とする請求項４〜５の何れかに記載の組み立て可能な鞄である。
○請求項７に記載の考案（第７考案）
第７考案は、第１の雄面ファスナーが取り付けられてなるフラップ裏面根元部に、貫通穴が設けられ、第１の雌面ファスナーが取り付けられてなる鞄本体外側の裏面上部に、貫通穴が設けられ、鞄を組み立てた時には、上記２つの貫通穴が貫通してフラップ脱落防止紐を通して結び合わせることができることを特徴とする請求項１〜６の何れかに記載の組み立て可能な鞄。
○請求項８に記載の考案（第８考案）
第８考案は、フラップ表面には、デザインされた模様／及び又は文字等が描かれたことを特徴とする請求項１〜７の何れかに記載の組み立て可能な鞄。
＊＊＊＊＊＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊
【考案の効果】
【００１８】
上記のような本考案の特徴的構成により、本考案が解決しようとする課題を十分達成することができた。
○請求項１に記載の考案（第１考案）の効果
第１考案の特徴的構成要件を「鞄本体とストラップ、及びフラップとから構成された鞄において、鞄本体外側の側面上部には、一対のバックルが取り付けられてなり、鞄本体外側の裏面上部には、第１の雌面ファスナーが、ストラップの両先端部には、一対の金具が取り付けられてなり、フラップ裏面根元部には、第１の雄面ファスナーが取り付けられてなることを特徴とする組み立て可能な鞄」とすることより、消費者の経済的な負担、保存管理のための負担を小さくし、且つ消費者に多種類のデザインの鞄の中から、消費者が十分満足する鞄を選択することが可能となる「鞄本体とストラップ、及びフラップとから構成された、組み立て可能な鞄」を提供することができた。
○請求項２に記載の考案（第２考案）の効果
第２考案の特徴的構成要件を「当該一対のバックルと当該一対の金具をワンタッチで着脱することにより、鞄本体とストラップを組み立て／又は分解可能に構成された請求項１に記載の組み立て可能な鞄」とすることにより、本考案の鞄の組合せ要素である鞄本体とストラップを組み立て／又は分解可能にする具体的手段を開示することができた。
○請求項３に記載の考案（第３考案）の効果
第３考案の特徴的構成要件を「当該第１の雌面ファスナーと当該第１の雄面ファスナーをワンタッチで着脱することにより、鞄本体とフラップを組み立て／又は分解可能に構成された請求項１〜２の何れかに記載の組み立て可能な鞄」とすることにより、本考案の鞄の組合せ要素である鞄本体とフラップを組み立て／又は分解可能にする具体的手段を開示することができた。
○請求項４に記載の考案（第４考案）の効果
第４考案の特徴的構成要件を「鞄本体外側の表面には、第２の雌面ファスナーが、フラップ裏面先端部には、第２の雄面ファスナーが取り付けられてなることを特徴とする組み立て可能な鞄」とすることにより、本考案の鞄の組合せ要素である鞄本体とフラップ裏面先端部が確実に面ファスナーで取り付けられて、鞄本体に収納された収納物が、鞄本体から落脱することを防止するという当業者が予測不可能な顕著な効果を奏することができた。
○請求項５に記載の考案（第５考案）の効果
第５考案の特徴的構成要件を「鞄本体外側の表面の側端部には、一対の第２の雌面ファスナーが、フラップ裏面先端部には、フラップ裏面先端部に沿って、第２の雄面ファスナーが取り付けられてなることを特徴とする組み立て可能な鞄」とすることによって、本考案の鞄の組合せ要素である鞄本体とフラップ裏面先端部が確実に面ファスナーで取り付けられて、鞄本体に収納された収納物が、鞄本体から落脱することを防止するための具体的手段を開示できたという当業者が予測不可能な顕著な効果を奏することができた。
○請求項６に記載の考案（第６考案）の効果
第６考案の特徴的構成要件を「当該第２の雌面ファスナーと当該第２の雄面ファスナーとをワンタッチで着脱することにより、鞄本体とフラップが確実に一体となり、鞄本体の収容物が脱落するのを防止することを特徴とする請求項４〜５の何れかに記載の組み立て可能な鞄」とすることにより、鞄本体の収容物が脱落するのを防止するための具体的作用を明確にすることができた。
○請求項７に記載の考案（第７考案）の効果
第７考案の特徴的構成要件を「第１の雄面ファスナーが取り付けられてなるフラップ裏面根元部に、貫通穴が設けられ、第１の雌面ファスナーが取り付けられてなる鞄本体外側の裏面上部に、貫通穴が設けられ、鞄を組み立てた時には、上記２つの貫通穴が貫通してフラップ脱落防止紐を通して結び合わせることができることを特徴とする請求項１〜６の何れかに記載の組み立て可能な鞄」とすることにより、鞄本体とフラップとを２つの貫通穴に脱落防止紐を通して結び合わせることにより、面ファスナーによる取り付けが劣化して万が一外れた場合でも、フラップは脱落防止紐により鞄本体から脱落することがないという当業者が予測不可能な顕著な効果を奏することができた。
○請求項８に記載の考案（第８考案）の効果
第８考案の特徴的構成要件を「フラップ表面には、デザインされた模様／及び又は文字等が描かれたことを特徴とする請求項１〜７の何れかに記載の組み立て可能な鞄」とすることにより、消費者は、デザインされた模様／及び又は文字等が描かれた多種類のフラップの中から、好きなフラップを選んで購入することが可能となるという当業者が予測不可能な顕著な効果を奏することができた。
【００１９】
また、フラップ自体は、大量生産することができるので、鞄の顔とも云えるデザインされた模様／及び又は文字等を後で描くことにするので、多種類のフラップを低コストで供給することができるという当業者が予測不可能な顕著な効果を奏することができた。
【考案を実施するための最良の形態】
【００２０】
以下、本考案を実施するための最良の形態について、図面を参照しながら説明する。
【００２１】
［図１］  図１は、本考案の組み立てられた鞄の図を示す。
【００２２】
図１（ａ）は、本考案の組み立てられた鞄の正面図である。
【００２３】
図１（ｂ）は、本考案の組み立てられた鞄の背面図である。
【００２４】
図１（ｃ）は、本考案の組み立てられた鞄の右側面図である。
【００２５】
［図２］  図２は、鞄本体の図を示す。
【００２６】
図２（ａ）は、鞄本体表面の正面図である。
【００２７】
図２（ｂ）は、鞄本体表面の背面図である。
【００２８】
［図３］  図３は、ストラップの正面図を示す。
【００２９】
［図４］  図４は、フラップ表面の図を示す。
【００３０】
図１（ａ）は、フラップ表面の正面図である。
【００３１】
図１（ｂ）は、フラップ表面の背面図である。
本考案の要素である鞄本体とストラップ、及びフラップへの分解図である。
【００３２】
［図５］  図５は、本考案の組立工程図を示す。
【００３３】
図５（ａ）は、フラップ裏面と鞄本体裏面を用意した状態を示す。
【００３４】
図５（ｂ）は、フラップ裏面と鞄本体裏面を組み立てた状態を示す。
【００３５】
図５（ｃ）は、図５（ｂ）において、組み立てたフラップ裏面と鞄本体裏面を裏返した状態を示す。
【００３６】
図５（ｄ）は、図５（ｂ）において、組み立てたフラップ裏面と鞄本体裏面にストラップを取り付けて、完成した状態を示す。
【００３７】
［図６］  図６は、本考案に係る意匠の組立てた状態の正面斜視図である。
【００３８】
［図７］  図７は、本考案に係る意匠の組立てた状態の背面斜視図である。
【００３９】
［図８］  図８は、本考案に係る意匠の分離した状態の正面斜視図である。
【００４０】
［図９］  図９は、本考案に係る意匠の分離した状態の背面斜視図である。
【００４１】
［図１０］  図１０は、本考案に係る意匠の正面図である。
【００４２】
［図１１］  図１１は、本考案に係る意匠の背面図である。
【００４３】
［図１２］  図１２は、本考案に係る意匠の右側面図である。
【００４４】
［図１３］  図１３は、本考案に係る意匠の左側面図である。
【００４５】
［図１４］  図１４は、本考案に係る意匠の平面図である。
【００４６】
［図１５］  図１５は、本考案に係る意匠の底面図である。
【００４７】
ここに、意匠の考案者は、下記の通りである。
［意匠創作者］
［住所又は居所］    大阪市西区西本町２丁目１番４１号  インテリンクス西本町１０１  リファイン  有限会社内
［氏名］            吉岡  誠典
＊＊＊＊＊＊＊＊＊＊＊＊＊＊＊＊＊＊＊＊＊＊＊＊＊＊＊＊＊＊＊＊＊＊
本考案の組み立て可能な鞄１００は、鞄本体１とストラップ２、及びフラップ３とから構成される。
【００４８】
鞄本体１外側の側面上部には、一対のバックルＢ１，Ｂ２が取り付けられてなり、鞄本体１外側の裏面上部には、第１の雌面ファスナー１ＦＦが、取り付けられている。
【００４９】
ストラップ３の両端部には、一対の金具Ｍ１，Ｍ２が取り付けられている。
【００５０】
フラップ３裏面根元部には、第１の雄面ファスナー１ＭＦが取り付けられている。
【００５１】
＊＊＊＊＊＊＊＊＊＊＊＊＊＊＊＊＊＊＊＊＊＊＊＊＊＊＊＊＊＊＊＊＊＊
当該一対のバックルＢ１，Ｂ２と当該一対の金具Ｍ１，Ｍ２をワンタッチで着脱することにより、鞄本体１とストラップ２を組み立て／又は分解可能に構成されることにより、組み立て可能な鞄１００を提供することができる。
【００５２】
＊＊＊＊＊＊＊＊＊＊＊＊＊＊＊＊＊＊＊＊＊＊＊＊＊＊＊＊＊＊＊＊＊＊
当該第１の雌面ファスナー１ＦＦと当該第１の雄面ファスナー１ＭＦをワンタッチで着脱することにより、鞄本体１とフラップ３を組み立て／又は分解可能に構成されることにより、組み立て可能な鞄１００を提供することができる。
【００５３】
＊＊＊＊＊＊＊＊＊＊＊＊＊＊＊＊＊＊＊＊＊＊＊＊＊＊＊＊＊＊＊＊＊＊
鞄本体１外側の表面には、第２の雌面ファスナー２ＦＦが、フラップ３裏面先端部には、第２の雄面ファスナー２ＭＦが取り付けられている。
【００５４】
＊＊＊＊＊＊＊＊＊＊＊＊＊＊＊＊＊＊＊＊＊＊＊＊＊＊＊＊＊＊＊＊＊＊
鞄本体１外側の表面の側端部には、一対の第２の雌面ファスナー２ＦＦ１，２ＦＦ２が、フラップ３裏面先端部には、フラップ３裏面先端部に沿って、第２の雄面ファスナー２ＭＦが取り付けられている。
【００５５】
＊＊＊＊＊＊＊＊＊＊＊＊＊＊＊＊＊＊＊＊＊＊＊＊＊＊＊＊＊＊＊＊＊＊
当該第２の雌面ファスナー２ＦＦ１，２ＦＦ２と当該第２の雄面ファスナー２ＭＦとをワンタッチで着脱することにより、鞄本体とフラップが確実に一体となり、鞄本体の収容物が脱落するのを防止することが可能となる。
【００５６】
＊＊＊＊＊＊＊＊＊＊＊＊＊＊＊＊＊＊＊＊＊＊＊＊＊＊＊＊＊＊＊＊＊＊
第１の雄面ファスナー１ＭＦが取り付けられてなるフラップ３裏面根元部に、貫通穴Ｈが設けられ、第１の雌面ファスナー１ＦＦが取り付けられてなる鞄本体１外側の裏面上部に、貫通穴Ｈが設けられ、鞄を組み立てた時には、上記２つの貫通穴が貫通してフラップ脱落防止紐Ｗを通して結び合わせることができる。
＊＊＊＊＊＊＊＊＊＊＊＊＊＊＊＊＊＊＊＊＊＊＊＊＊＊＊＊＊＊＊＊＊＊
フラップ３表面には、デザインされた模様／及び又は文字等ＤＣが描かれている。
【００５７】
鞄本体１とフラップ３とを２つの貫通穴Ｈ、Ｈに脱落防止紐Ｗを通して結び合わせることにより、面ファスナーによる取り付けが劣化して万が一外れた場合でも、フラップ３は脱落防止紐Ｗにより鞄本体１から脱落することがない。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
【図面の簡単な説明】
【００５８】
【図１】図１は、本考案の組み立てられた鞄の図を示す。
【００５９】
図１（ａ）は、本考案の組み立てられた鞄の正面図である。
【００６０】
図１（ｂ）は、本考案の組み立てられた鞄の背面図である。
【００６１】
図１（ｃ）は、本考案の組み立てられた鞄の右側面図である。
【図２】図２は、鞄本体の図を示す。
【００６２】
図２（ａ）は、鞄本体表面の正面図である。
【００６３】
図２（ｂ）は、鞄本体表面の背面図である。
【図３】図３は、ストラップの正面図を示す。
【図４】図４は、フラップ表面の図を示す。
【００６４】
図１（ａ）は、フラップ表面の正面図である。
【００６５】
図１（ｂ）は、フラップ表面の背面図である。
本考案の要素である鞄本体とストラップ、及びフラップへの分解図である。
【図５】図５は、本考案の組立工程図を示す。
【００６６】
図５（ａ）は、フラップ裏面と鞄本体裏面を用意した状態を示す。
【００６７】
図５（ｂ）は、フラップ裏面と鞄本体裏面を組み立てた状態を示す。
【００６８】
図５（ｃ）は、図５（ｂ）において、組み立てたフラップ裏面と鞄本体裏面を裏返した状態を示す。
【００６９】
図５（ｄ）は、図５（ｂ）において、組み立てたフラップ裏面と鞄本体裏面にストラップを取り付けて、完成した状態を示す。
【図６】図６は、本考案に係る意匠の組立てた状態の正面斜視図である。
【図７】図７は、本考案に係る意匠の組立てた状態の背面斜視図である。
【図８】図８は、本考案に係る意匠の分離した状態の正面斜視図である。
【図９】図９は、本考案に係る意匠の分離した状態の背面斜視図である。
【図１０】図１０は、本考案に係る意匠の正面図である。
【図１１】図１１は、本考案に係る意匠の背面図である。
【図１２】図１２は、本考案に係る意匠の右側面図である。
【図１３】図１３は、本考案に係る意匠の左側面図である。
【図１４】図１４は、本考案に係る意匠の平面図である。
【図１５】図１５は、本考案に係る意匠の底面図である。
【符号の説明】
【００７０】
１００                        本考案の組み立て可能な鞄
１                            鞄本体
２                            ストラップ
３                            フラップ
Ｂ１，Ｂ２                    バックル
Ｍ１，Ｍ２                    金具
１ＦＦ                        第１の雌面ファスナー
１ＭＦ                        第１の雄面ファスナー
２ＭＦ                        第２の雄面ファスナー
２ＦＦ，２ＦＦ１，２ＦＦ２    第２の雌面ファスナー
【手続補正書】
【提出日】平成20年9月19日(2008.9.19)
【手続補正１】
【補正対象書類名】図面
【補正対象項目名】図６
【補正方法】変更
【補正の内容】
【図６】
0003146636.tif 000018
【手続補正２】
【補正対象書類名】図面
【補正対象項目名】図８
【補正方法】変更
【補正の内容】
【図８】
0003146636.tif 000019
【手続補正３】
【補正対象書類名】図面
【補正対象項目名】図１０
【補正方法】変更
【補正の内容】
【図１０】
0003146636.tif 000020
【手続補正４】
【補正対象書類名】図面
【補正対象項目名】図１２
【補正方法】変更
【補正の内容】
【図１２】
0003146636.tif 000021
【手続補正５】
【補正対象書類名】図面
【補正対象項目名】図１４
【補正方法】変更
【補正の内容】
【図１４】
0003146636.tif 000022